(57)【要約】      （修正有）【課題】支持機器２へ後頭部を乗せて枕として利用する際、肩と首筋の間に出来る隙間をなくし、首筋に受ける負荷を一部負担して分散すること及び、首筋の保温を良くして、従来の枕の使用感をさらに良好なものとなす。【解決手段】支持機器２の外周に外周にクッション１０を付設し、支持機器２の外周を塀状に外周クッション１０によって囲んだ構造とする。【選択図】図８
0003117419.tif 000002
【実用新案登録請求の範囲】
【請求項１】
板状のベース６、クッション部５、及び軸９がセットできるボス７より構成された頭部当て凸部１、両端に軸受け８を有する支持ベース３、支持ベース３の二つの軸受け８に、二個の頭部当て凸部１を軸９でセットし頭部を支える支持機器２となす、この支持機器２の外周に外周にクッション１０を付設し、支持機器２の外周を塀状に外周クッション１０によって囲んだ構造を特徴とする枕。
【請求項２】
長方形の部分１９と尖った部分１８を持つ楔形の、高さ調節シート１６を脱着できる構造で付設した請求項１記載の枕。
【請求項３】
枕の底面の大きさに収まるように設計された、長方形の部分１９と尖った部分１８を持つ楔形の、高さ調節シート１６を、枕の底面に脱着できる構造で付設した枕。
【考案の詳細な説明】
【技術分野】
【０００１】  本考案は枕に関するものである。
【背景技術】
【０００２】  先に本出願人は「首筋を伸ばして、首筋を主体的に支える機能のリラックス枕」（出願日：平成１７年４月１日、出願番号：実願２００５−２０７９）の明細書に図１、図２に示す構造の枕を提案した。
図１は、長方形の平面を有する板状のベース６の上部に、クッション材を適度な厚みで貼り付けたクッション部５、及び軸９がセットできるボス７より構成された頭部当て凸部１、両端に軸受け８を有する支持ベース３、支持ベース３へ頭部当て凸部１（２個を用いて）、軸９でセットした構造の、頭部を支える支持機器２、及び緩衝部１２、枕ベース１３より構成された枕である。
（先の出願、出願番号：実願２００５−２０７９の明細書には、「第１凸部１と同一の構造で構成され、第１凸部１と対称的に位置する第２凸部２」と記載されているが、本考案においては、第１凸部１と第２凸部２は同一の部品で良いことから、頭部当て凸部１との名称としている。
また、本考案図１、図２は、先の出願「首筋を伸ばして、首筋を主体的に支える機能のリラックス枕」の図２、図３に相当し、先の出願においては支持機器２の表示記号は記載していないが、本考案では部品を纏めたものとして、本考案の図面には記載している）
図１、図２に示す先の考案の枕は、二つの頭部当て凸部１との間に出来た隙間の上部の空間４に、頭部（首筋から後頭部にかかる部分）の中心をあわせて二つの頭部当て凸部１に乗せて使用する枕である。
図１、図２に示す先の考案の枕は、二つの頭部当て凸部１の下部及び周囲に緩衝部１２及び、枕ベース１３を敷設することによって、頭部が頭部当て凸部１の外側へ移動したときに、頭部当て凸部１は、軸９を中心として回転するが、緩衝部１２が頭部当て凸部１の回転抵抗となり、頭部当て凸部１の回転を緩やかにするとともに、頭部当て凸部１の回転により受ける荷重により、緩衝部１２は下方に凹んで頭部当て凸部１を支え、相対的に緩衝部１２と頭部当て凸部１の外側との段差が小さくなって、頭部の移動がスムーズとなり、寝返りを打つような場合にも違和感のない構造となる。
又、二つの頭部当て凸部１の間にある空間４の位置に、首筋から後頭部に至る部分の中心の位置をあわせて、後頭部を二つの頭部当て凸部１の上に乗せて枕として使用すると、頭部の重さにより、二つの頭部当て凸部品１が、軸９を中心として回転し概略逆三角形の溝型となり、首筋から後頭部に至る部分を軽く挟んで、首筋から後頭部に至る部分のすわりを安定させるので、首筋の力を抜いても、首筋から頭部にかけて安定して支えられ、首筋から下半身にかけて、身体が自然に伸びる。
又、二つの頭部当て凸部品１で支えることから、空間４及び、後頭部にも間隙が生じ、頭部を包むように接触して支える他の枕と異なり、枕の生地が頭部に接触する面積も小さく、空気の流通が良いので、後頭部に熱が溜まらないこと等により、神経の安静感に優れた枕で、不眠の解消や深くスッキリとした寝覚めの、心地よい睡眠に役立つ枕である。
【考案が解決しようとする課題】
【０００３】    本考案は、先に提案した「首筋を伸ばして、首筋を主体的に支える機能のリラックス枕」（出願日：平成１７年４月１日、出願番号：実願２００５−２０７９）において行ったが、以下（１）（２）に示す内容の二つの提案を行ったが、この提案の具体的な実施態様をしめして、従来の枕の、支持機器２へ後頭部を乗せて枕として利用する際、肩と首筋の間に隙間が出来き、この隙間をなくし、首筋に受ける負荷を一部負担して分散すること及び、首筋の保温を良くして、従来の枕の使用感をさらに良好なものとなすことを課題とし、具体的な提案を行うものである。
（１）緩衝部１２及び枕ベース１３は、二つの頭部当て凸部１の外周を取り囲むように、大きめに設計することがベターである。
（２）衝部１２は、広くする他、二つの頭部当て凸部１の外周よりはみ出した場所の、前後の厚み、幅を変えて設計して、利用者の体調、気分により、前後を入れ替えて利用する商品の製作も可能である。
（出願番号：実願２００５−２０７９、明細書３ページ
【０００７】に記載）
【課題を解決するための手段】
【０００４】  図３、図４は本考案による枕の構造を示す図面である。
図４は本考案による枕の斜視図であって、枕ベース１３の上に支持機器２を設置し、支持機器２の外周を厚いクッション材で、概略長方形の塀状に取り囲んだ形状の外周クッション１０を、付設した構造となしたものである。
Ｂ−Ｂ′方向は両肩に平行な方向を示し、Ｃ−Ｃ′方向は両肩に垂直な背骨から頭の頂部に至る方向を示していて、外周クッション１０の、Ｂ−Ｂ方向の幅１１は両側とも同じ寸法であるが、外周クッション１０の、Ｃ−Ｃ′方向の幅は幅の狭い側面１５と幅の広い側面１４を有する構造となしている。
図３は図４において、Ｂ−Ｂ′方向において矢印の方向に外周クッション１０及び枕ベース１３を切断した場合の側面図（部分断面図）である。
【考案の効果】
【０００５】  人の肩から首、頭に至る線の長さや、形状は個人差があり、健康状態によっても、首からから頭に至る枕として支えるポイントを、調整することで使用感が異なる。
支持機器２を利用する枕は、二つの頭部当て凸部１の傾斜角よって、挟むようにして後頭部を安定的に支え、又寝返りなどで後頭を動かすときには、インボリュートや円弧歯車が転がるように、後頭部と頭部当て凸部１が接触しながら回転し自由な動きが出来るとともに、頭部当て凸部１の外側と外周クッション１０との継ぎ目の部分にも、頭部当て凸部１の外側へ向けた回転による傾斜ができることで、横向きの頭部の動きを安定させることが出来る特徴がある。
従って、頭部全体を包み込んで支える従来の枕と異なり、頭部当て凸部１の反発を瞬間に直接頭部で感じることが出来ることから、高さなどの寸法の設計的には、標準値で多数の使用者の満足を得ることも特徴であるが、本考案による枕は、外周クッション１０により、支持機器２だけでは支えられない、首筋から頭部にいたる人体の、曲線構造をクッション材の大きな歪みであわせて、一部を補助的に支えることで、首筋の保温効果もあり、使用感を良好となしたものである。
外周クッション１０の構造として、幅の広い側面１４と幅の狭い側面１５を設けていることから、首筋の一部を支える面を、個人差により、幅の広い側面１４と幅の狭い側面１５と好みに合わせて選択することが可能であり、これによりさらに個々にマッチした使用感を満足させるものである。
又、首筋から後頭部の中心を二つの頭部当て凸部１の中央部の空間４に正しくセットして、頭部支持機器２で支えると、自由な動きの中でバランスの取れた安定した支持が出来るこのことが、首筋から背筋にかけての神経の流れを良くし、睡眠に至る間での精神的な安定感や姿勢の安定に効果がある。
（興奮してイライラし、身体の位置を度々変える状況を抑える等）
又、本考案の枕は、利用方法として、椅子用の枕や背宛クッションに利用することが出来るが、いす用の枕に使用すると、左右への首の倒れを防止する効果もある。
【考案の実施するために最良の形態】
【０００６】  図５は本考案による高さ調節シート１６の斜視図であって、長方形の部分１９と尖った部分１８を持つ楔形の枕の敷物である。
高さ調節シート１６は、本考案による枕の枕ベース１３の下に敷いて使用するものであって、これを用いることにより、幅の広い側面１４、幅の狭い側面１５、二つの頭部当て凸部１の、高さの位置関係の調整が可能である。
図６、図７に、本考案の枕に、図５に示す本考案による高さ調節シート１６を付設した状況を示す。
図６、図７において本考案の枕の部分は、図４のＣ−Ｃ′線による断面から見た、側面図であって、図６には枕ベース１３の寸法に合わせた幅の、高さ調節シート１６を、頂部１８を幅の広い側面１４のほうへ向けて、マジックテープ１７でセットした状況を示す。
図７は、高さ調節シート１６の幅を、枕ベース１３の寸法より小さく作成したものを、枕ベース１３の下に敷いた状況を示す。
図８は、図６に示した本考案の枕を、人が使用している状況の側面図を示す。
図８においては、外周クッション１０の幅の広い側面１４の方向から、後頭部２１と首２２を載せて、本考案の枕を使用している状況を示しているが、この状況では、外周クッション１０の幅の広い側面１４が高さ調節シート１６によって、高さ調節シート１６を付設しない場合と比べて、支持機器２のレベルより相対的に低くなっている。
図８の事例のように、本考案の枕には、高さ調節シート１６を、付設する場合と付設しない場合の使用方法があり。
高さ調節シート１６を付設しない場合は、後頭部２１を乗せるとき、幅の広い面１４側からと、幅の狭い面１５側からとの、使用方法が２種類ある。
高さ調節シート１６を付設する場合は、幅の広い面１４からと幅の狭い面１５からの２種類に、各々高さ調節シート１６の向きを変えて利用することが可能であり、各々高さ調節シート１６は方向を反対にして利用するほか、取り付ける位置をずらすことも可能であることから、高さ調節シート１６は本考案の枕の機能にマッチした（頭部当て凸部１の枕ベース１３からの高さと配置が、外周クッション１０の歪みなどにより大きく変化しない特性を活かした）多様な調節を行うことが出来る。
図９は、本考案の枕のアタッチメントであって、厚い布地２５に、指状の形状をした突起物２４を、多数付設したものであって、頭部当て凸部１の上にかぶせて、短時間、枕として使用する他、頭を少し動かすことで使用することにより、頭部の側面まで刺激を受け指圧的に本考案の枕を楽しめるものである。
【０００７】  本考案による枕、高さ調節シート１６及、図９のアタッチメントについての、最良の形についての留意点を以下に記述する。
（１）本考案の枕、図３、図４には、二つの頭部当て凸部１と外周クッション１０の、枕ベース１３からの高さが同じレベルで図示されているが、支持機器２の二つの頭部当て凸部１は頭部から受ける負荷に耐え、歪むこと無く、これを支えるよう設計されている、他方、外周クッション１０はクッション機能のあるウレタンフォームや人口綿による、軟らかい材質ものである事から、荷重の負荷に対する歪みは大きい。
従って、この点を考慮して設計の実際は、枕ベース１３からの二つの頭部当て凸部１と、外周クッション１０とでは、その高さが異なるものとなる。
（２）  二つの頭部当て凸部１と外周クッション１０の、枕ベース１３からの高さの違いは、本考案の枕の利用形態によっても異なる。
本考案の枕を、枕として利用する場合は、外周クッション１０の高さは、椅子の背当てクッションとして利用する場合と比べて高く、Ｂ−Ｂ′方向の幅１１も広くなる（車両の椅子などの枕として、頭部の横倒れ防止のため等、特殊な利用では、Ｂ−Ｂ′方向の外側をより高くして傾斜させた設計も可能である）
又、本考案の枕を背当てクッションとして利用する場合は、Ｂ−Ｂ′方向の幅１１は狭くし（Ｂ−Ｂ′方向の外側をより低くする場合もある）、幅の広い面１４、幅の狭い面１５は同一寸法とすることが良い。
（３）本考案の枕は、標準値で多数の使用者の満足を得ることも特徴である。
従って、高さ調節シート１６の頂部１８と底部１９の厚みの差はさほど厚い必要は無いが、形の崩れない固いウレタンフォーム、固い型打ちの綿を使用する。（同様の資質のある材料であれば他の材料でも良い）
（４）高さ調節シート１６と本考案の枕との装着方法はマジックテープの他ボタンを用いて脱着可能な構造とする。
（５）突起物２４はゴム又はプラスチック、木片を材料として用い、布地２５に接着する。（突起物２４にゴムを材料とするときには、布地２５もゴムを材料として突起物２４と一体で成型すると簡便に製作できる。
（６）外周クッション１０は、幅の広い面１４（１個）、幅の狭い面１５（１個）、Ｂ−Ｂ′方向の面１１（２個）の合計４個に分割して、各々の高さを調整して、マジックテープで接合して組み立てて使う方法も可能である。
【図面の簡単な説明】
【０００８】
【図１】  図１は、図２に示す従来の枕の緩衝部１２、枕ベース１３の部分をＡ−Ａ′線の断面として示した、側面図（部分断面図）である。
【図２】  図２は従来の枕の斜視図である。
【図３】  図３は、図４に示す本考案による枕の、外周クッション１０、枕ベース１３の部分をＢ−Ｂ′線の断面として、示した側面図（部分断面）である。
【図４】  図４は本考案による枕の斜視図である。
【図５】  図５は本考案による枕の高さ調節シート１６の斜視図である。
【図６】  図６は、図４に示す本考案による枕に、図５に示す本考案による枕の高さ調節シート１６をセットした、実施例を示す側面図（部分断面）である。（図４に示す本考案による枕の、Ｃ−Ｃ′線での断面とした側面図と、図５に示した本考案による枕の高さ調節シート１６のＤ−Ｄ′線断面を組み合わせた側面の断面図を表している）
【図７】  図７は、図４に示す本考案による枕に、図５に示す本考案による枕の高さ調節シート１６をセットした、実施例を示す側面図（部分断面）である。（図４に示す本考案による枕の、Ｃ−Ｃ′線での断面とした側面図と、図５に示した本考案による枕の高さ調節シート１６のＤ−Ｄ′線断面を組み合わせた側面の断面図を表している）
【図８】  図８は、図６に示す本考案による枕を、使用者が利用する場合の、使用方法の一例を示した側面図（部分断面）である。
【図９】  図９は本考案による枕のアタッチメントを示す斜視図である。
【符号の説明】
【０００９】  １．  頭部当て凸部
２．  支持機器
３．  支持ベース
４．  空間
５．  クッション部
６．  ベース
７．  ボス
８．  軸受け
９．  軸
１０．  外周クッション
１１．  Ｂ−Ｂ′方向の幅
１２．  緩衝部
１３．  枕ベース
１４．  幅の広い面
１５．  幅の狭い面
１６．  高さ調節シート
１７．  マジックテープ
１８．  尖った部分
１９．  長方形の面
２０．  人の顔
２１．  後頭部
２２．  首
２３．  肩
２４．  突起物
２５．  厚めの布地
【図１】
0003117419.tif 000003
【図２】
0003117419.tif 000004
【図３】
0003117419.tif 000005
【図４】
0003117419.tif 000006
【図５】
0003117419.tif 000007
【図６】
0003117419.tif 000008
【図７】
0003117419.tif 000009
【図８】
0003117419.tif 000010
【図９】
0003117419.tif 000011
【手続補正書】
【提出日】平成17年9月13日(2005.9.13)
【手続補正１】
【補正対象書類名】実用新案登録請求の範囲
【補正対象項目名】全文
【補正方法】変更
【補正の内容】
【実用新案登録請求の範囲】
【請求項１】
板状のベース６、クッション部５、及び軸９がセットできるボス７より構成された頭部当て凸部１、両端に軸受け８を有する支持ベース３、支持ベース３の二つの軸受け８に、二個の頭部当て凸部１を軸９でセットし頭部を支える支持機器２となす、この支持機器２の外周にクッション１０を付設し、支持機器２の外周を塀状に外周クッション１０によって囲んだ構造を特徴とする枕。
【請求項２】
長方形の部分１９と尖った部分１８を持つ楔形の、高さ調節シート１６を脱着できる構造で付設した請求項１記載の枕。
【請求項３】
枕の底面の大きさに収まるように設計された、長方形の部分１９と尖った部分１８を持つ楔形の、高さ調節シート１６を、枕の底面に脱着できる構造で付設した枕。